(57)【特許請求の範囲】
【請求項１】
回路部品を搭載した前面開放型の箱形ケースと、該ケースに被着した前面カバーとの組立体になり、前面カバーをケースの開口部周縁に嵌着して外界からの雨水浸入を防ぐようにした防水型電子機器の筐体において、
前記ケースの天井をアーチ状となし、かつ該ケースの前面にはその開口部周縁に沿って前面カバーが嵌まり合う筒状の嵌合段部を立設した上で、該嵌合段部に沿ってその天井および左右側壁の外周面には溝下端がケース底部側に開放する排水溝を刻設し、前記嵌合段部の左右側壁面に刻設した排水溝の向きを、下方側が上方側よりも前方になるように鉛直方向から傾斜させて形成したことを特徴とする防水型電子機器の筐体。
【請求項２】
請求項１に記載の防水型電子機器の筐体において、嵌合段部の外周面に沿って排水溝を内外二重に刻設したことを特徴とする防水型電子機器の筐体。
【請求項３】
請求項２に記載の防水型電子機器の筐体において、前記排水溝は、ケースの前記開口部周縁に近い側の排水溝の断面積を前記開口部周縁に遠い側の排水溝の断面積よりも小さくしたことを特徴とする防水型電子機器の筐体。
【発明の詳細な説明】
【技術分野】
【０００１】
この発明は、汎用インバータ装置などを対象とする防水仕様の電子機器の筐体構造に関する。
【背景技術】
【０００２】
頭記の汎用インバータ装置などの電子機器を屋外などの環境で使用する場合には、外界からの雨水浸入を防ぐために、その筐体（アルミダイカスト，あるいはモールド樹脂製の外郭）は防滴，防雨保護機能を持たせた構造で構成している。
【０００３】
この場合に、従来における防水仕様の汎用インバータ装置では、回路部品を搭載した前面開放型の箱形ケースに前面カバーを液密に嵌着して外界からの雨水浸入を防ぐようにしており、その防水シール手段として、ケースとカバーとが嵌まり合う嵌合部周縁に防水パッキン，Ｏリングなどのシール部材を布設した防水構造が一般に採用されている（例えば、特許文献１参照）。
【先行技術文献】
【特許文献】
【０００４】
【特許文献１】特開２００８−１５４３３１号公報
【発明の概要】
【発明が解決しようとする課題】
【０００５】
ところで、前記のように筐体の防水シール手段として、ケースとカバーの嵌合部に防水パッキン（ゴムパッキン）などのシール部材を布設する際は、シール部材の脱落を防ぐために接着剤を使用してシール部材をケースの開口部に貼着しているが、手作業による接着剤の塗布，貼り付け作業は煩雑で接着剤の硬化待ち時間も要するほか、作業者の熟練度によっても接着性能にバラツキが生じる。さらに、電子機器の長期使用の間にはパッキン部材が劣化して防水機能が低下する問題もある。
【０００６】
この発明は上記の点に鑑みなされたものであり、パッキンなどのシール部材、および該シール部材を接着剤で貼り付ける煩雑な布設作業を要しないパッキンレス方式で外界からの雨水がケース内部に浸入するのを効果的に防げるように改良した電子機器筐体の防水構造を提供することを目的とする。
【課題を解決するための手段】
【０００７】
上記目的を達成するために、この発明によれば、回路部品を搭載した前面開放型の箱形ケースと、該ケースに被着した前面カバーとの組立体になり、前面カバーをケースの開口部周縁に嵌着して外界からの雨水浸入を防ぐようにした防水型電子機器の筐体において、
前記ケースの天井をアーチ状となし、かつ該ケースの前面にはその開口部周縁に沿って前面カバーが嵌まり合う筒状の嵌合段部を立設した上で、該嵌合段部の外周面に沿ってその天井および左右側壁の周面に溝下端がケース底部側に開放した排水溝を刻設するものとし、その排水溝は具体的に次記のような態様で構成することができる。
（１）前記構成の筐体において、嵌合段部の左右側壁面に刻設した排水溝の向きを、鉛直方向から前方に傾斜させて形成する。
（２）嵌合段部の外周面に沿って排水溝を内外二重に刻設する。
（３）排水溝は、ケースの開口部周縁に近い側の排水溝の断面積を開口部周縁に遠い側の排水溝の断面積よりも小さくする。
【発明の効果】
【０００８】
上記の筐体構造によれば、パッキンなどのシール部材を使用しないで高い防水性を確保することかできる。すなわち、
（１）筐体の天井をアーチ状に形成したことにより、外界から筐体の上に降り注ぐ雨水，飛沫の大半はアーチ状の湾曲面に沿って左右に流れ、筐体の側壁外面を伝わって素早く流下する。また、雨水，飛沫の一部がケースと前面カバーとの間の嵌め合い隙間に浸透した場合でも、この隙間に浸透した水滴はケース内部にまで浸入する以前に係合段部の外周面に刻節した排水溝に落ち込み、この排水溝を伝わってケースの底部側に滴下排出される。
（２）この場合に、嵌合段部の左右側壁面に形成した排水溝の向きを、鉛直方向から斜め前方に傾斜させて形成しておくことにより、排水溝に落ち込んだ水滴は溝内を自由落下することなく、傾斜した溝内の側壁面を伝わって下方に流れ落ちるようになる。これによりケース内方への水滴の自由な飛散を抑えてケース内への浸入を効果的に防止できる。
（３）さらに、嵌合段部の外周面に沿って排水溝を内外二重に刻設しておくことにより、内側に並ぶ排水溝が外側の排水溝のバックアップ用排水溝として機能し、ケースとカバーの間から浸透した水量が多く、その一部が外側の排水溝を乗り越えてオーバーフローした場合でも内側の排水溝を伝わってオーバーフロー水をケース外方に排水させることができ、これにより防水機能の信頼性がさらに向上する。
【０００９】
しかも、この防水構造によれば、従来のようにパッキン部材の採用、および接着剤によるパッキン部材の布設工数が不要でコストの低減化が図れ、さらにパッキン部材の経年劣化の問題も解消できる。なお、嵌合段部に刻設する排水溝はケースの成形金型で対応できる。
【図面の簡単な説明】
【００１０】
【図１】この発明の実施例による筐体構造を表す図であって、（ａ）は筐体の分解斜視図、（ｂ）は（ａ）におけるＡ部の拡大図、（ｃ）は前面カバーをケースに嵌着した状態でのＡ部の側視断面図である。
【図２】図１のケース上半部を背面側から見た外形斜視図である。
【図３】図１のケース上半部の側面図である。
【図４】図１の筐体を横置した状態の外形斜視図である。
【図５】図４のＢ部におけるケースのコーナー部分の拡大図である。
【発明を実施するための形態】
【００１１】
以下、頭記汎用インバータ装置の筐体を対象としたこの発明による実施の形態を図１〜図５に示す実施例に基づいて説明する。
まず、図１（ａ）において、１は汎用インバータ装置の筐体（外郭）であり、該筐体１はインバータ装置の回路部品を内蔵した前面開放型のケース２と、該ケース２の前面開口部に嵌着する前面カバー３とに分けて構成したアルミダイカスト，あるいはモールド樹脂製になる。また、４はケース１の内部に搭載したインバータのパワースイッチング素子（ＩＧＢＴ）、５は制御回路のプリント基板、６は前記パワースイッチング素子４のヒートシンク７（図２参照）に向けて冷却空気を導風するようケース２の背面側に配置した冷却ファンである。
【００１２】
ここで、前記ケース２はその天井がアーチ状に湾曲した形状になり、その前面開口部の四隅にはフランジ２ａを設け、ここに前面カバー３の周縁フランジ３ａを当ててねじ締結するようにしている。
【００１３】
また、ケース２の前面には、その開口部周縁に沿って前面カバー３が嵌まり合う筒状の嵌合段部２ｂを立設形成した上で、この嵌合段部２ｂの外周面に沿って天井および左右側壁の外周面には内外２列に並ぶ凹状の排水溝２ｃ，２ｄが刻設されている。なお、この排水溝２ｃ，２ｄは、図４，図５で示すように溝下端がケース底部側に向けて下向きに開放されている。
【００１４】
さらに、ケース２の左右側壁面域においては、図３で示すように前記の嵌合段部２ｂ，および係合段部２ｂの外周面に刻設した排水溝２ｃ，２ｄが鉛直方向から若干斜め前方に傾斜して形成されている。
【００１５】
上記の構成により、前面カバー３をケース２の前面開口部に嵌め合わせてその周縁フランジ３ａケース２のフランジ２ａに重ね合わせた筐体１の組立状態では、図１（ｃ）で示すように前面カバー３の内周面がケース２の係合段部２ｂの外周面に重なり合っている。
【００１６】
これにより、屋外に設置したインバータ装置の筐体１に降り注いだ雨水の大半は、図２の点線矢印で表すようにアーチ状になる天井部の湾曲周面面に沿って左右方向に流れ、ケース２の側壁面を伝わって下方に流下排水される。また、雨水の飛沫がケース２と前面カバー３との間の嵌合細隙に浸透した場合でも、ここに浸透した水滴は係合段部２ｂの周面に刻設した排水溝２ｃに落ち込み、図１（ｃ）の矢印で表すように溝内を流下してその溝下端から外方に排出される。なお、浸透水量が多く、その一部が１列目の排水溝２ｃをオーバーフローして内方に浸透した場合には、２列目の排水溝２ｄがバックアップ用排水溝として機能し、オーバーフロー水は排水溝２ｄを流下して外方に排出されるので信頼性の高い防水性を確保できる。
【００１７】
またこの場合に、図３で述べたように嵌合段部２ｂの側壁面に刻設した排水溝２ｃ．２ｄの向きを斜め前方に傾斜させて形成したことにより、溝内を流下する水滴は溝内で自由に飛散することなしに排水溝２ｃ，２ｄの溝内側壁面を伝わって流れ落ちるようになる。これにより、不要な浸透水の飛散を抑えてケース内方への浸入をより効果的に防ぐことができる。
【００１８】
なお、外側の排水溝２ｄは内側の排水溝２ｃから溢れたオーバーフロー水を排出するためのものであり、かつオーバーフロー水の水量も少ないので、排水溝２ｄの断面積は排水溝２ｃの断面積よりも小さくするとよい。これにより、前面カバー３を嵌合保持する係合段部２ｂの幅を必要以上に大きくすることがなくなる。
【符号の説明】
【００１９】
１：筐体
２：ケース
２ａ：フランジ
２ｂ：嵌合段部
２ｃ，２ｄ：排水溝
３：前面カバー
４：インバータのパワースイッチング素子（回路部品）
５：制御回路のプリント基板（回路部品）
【図１】
0005573241.tif 000002
【図２】
0005573241.tif 000003
【図３】
0005573241.tif 000004
【図４】
0005573241.tif 000005
【図５】
0005573241.tif 000006